Podtech/llm-jp-corpus-v4-ja_patent huggingface dataset:
(57)【要約】      （修正有）【課題】Ｐｔ合金の宝飾品においては高質位の合金が好まれるために、質量比で９０％のＰｔを含む合金（Ｐｔ９００）が求められているが、このＰｔ９００合金は硬度が低いために、使用中に傷がつき易い、変形しやすい等の問題を解決する。【解決手段】Ｐｔに、Ｇａを添加することにより、ＰｔＧａ、Ｐｔ２Ｇａ３、ＰｔＧａ２等の金属間化合物の形成が顕著で、この化合物により硬さが増す効果があるので、Ｐｔ９０ｍａｓｓ％に対し、残りをＧａとして、所定の硬さを確保できる宝飾用プラチナ合金を製造する。更に、Ｇａに加えることに、Ｉｎ、Ｓｎ、Ｐｄ又はその組み合わせを添加する宝飾用プラチナ合金。【選択図】なし【特許請求の範囲】
【請求項１】
Ｐｔ９０ｍａｓｓ％に対し、残りをＧａとしたプラチナ合金。
【請求項２】
Ｐｔ９０ｍａｓｓ％に対し、Ｇａ１．０〜７．５ｍａｓｓ％、残りをＩｎとした合金。
【請求項３】
Ｐｔ９０ｍａｓｓ％に対し、Ｇａ１．０〜７．５ｍａｓｓ％、Ｓｎ１．０〜３．０ｍａｓｓ％、残りをＩｎとした合金。
【請求項４】
Ｐｔ９０ｍａｓｓ％に対し、Ｇａ１．０〜７．５ｍａｓｓ％、残りをＰｄとした合金。
【請求項５】
Ｐｔ９０ｍａｓｓ％に対し、Ｇａ１．０〜７．５ｍａｓｓ％、残りをＩｎおよびＰｄとした合金。
【請求項６】
Ｐｔ９０ｍａｓｓ％に対し、Ｇａ１．０〜７．５ｍａｓｓ％、Ｓｎ１．０〜３．０ｍａｓｓ％、残りをＩｎおよびＰｄとした合金。
【発明の詳細な説明】
【技術分野】
【０００１】
本発明は、宝飾用に使用されるプラチナ合金に関する
【背景技術】
【０００２】
指輪、ネックレス、ペンダント、イヤリング等のプラチナ合金は、日本はもとより、多くの国々で使用されている
この宝飾用プラチナ合金は、ＪＩＳやＩＳＯの規格として、Ｐｔ９５０、Ｐｔ９００、Ｐｔ８５０の品位でそれぞれの特性に応じてブライダル、ファッションジュエリーなどと使い分けされている。
【０００３】
特にファッションジュエリーを構成するネックレスは、Ｐｔ９５０、Ｐｔ９００の強度に問題があるためにＰｔ８５０が主として使用されている。
【先行技術文献】
【特許文献】
【０００４】
【特許文献１】特開２００６−７０３３７公報
【特許文献２】特開２０１０−８４２２６公報
【特許文献３】特願２０１５−１２７９５９公報
【発明の概要】
【発明が解決しようとする課題】
【０００５】
一般的な硬質プラチナ合金であるＰｔ９００は、ＰｔにＰｄを添加した合金が主流であったが、最近では硬さを求めてＲｕ、Ｉｒ、Ｃｏ、Ｃｕ、Ａｕを添加することによって硬さを確保してきたが、それでも硬さはＨｖ９０〜１５０程度であり、この硬さでは使用時に変形したり、傷が付いたりする問題が解決されないままでいる。
【０００６】
そこでこれらの添加物ではなしえなかった高い硬さを持ち、傷が付きにくく、変形しにくい合金が求められている。
本発明は、このような問題を解決することを課題とする。
【課題を解決するための手段】
【０００７】
そこで本発明は、Ｐｔ９０ｍａｓｓ％において、硬さ、鋳造性等、操作性が良く、変形しにくくしかも傷が付きにくい合金を作製するために、Ｐｔ９０ｍａｓｓ％に対し、残りをＧａとしたプラチナ合金とする
さらに、Ｐｔ９０ｍａｓｓ％に対し、Ｇａ１．０〜７．５ｍａｓｓ％、残りをＩｎとした合金とする。
さらに、Ｐｔ９０ｍａｓｓ％に対し、Ｇａ１．０〜７．５ｍａｓｓ％、Ｓｎ１．０〜３．０ｍａｓｓ％、残りをＩｎとした合金とする。
さらに、Ｐｔ９０ｍａｓｓ％に対し、Ｇａ１．０〜７．５ｍａｓｓ％、残りをＰｄとした合金とする。
さらに、Ｐｔ９０ｍａｓｓ％に対し、Ｇａ１．０〜７．５ｍａｓｓ％、残りをＩｎおよびＰｄとした合金とする。
さらに、Ｐｔ９０ｍａｓｓ％に対し、Ｇａ１．０〜７．５ｍａｓｓ％、Ｓｎ１．０〜３．０ｍａｓｓ％、残りをＩｎおよびＰｄとした合金とする。
【０００８】
ここで、Ｇａを添加する目的は、その添加によりＰｔＧａ、Ｐｔ２Ｇａ３、ＰｔＧａ２等の金属間化合物の形成が顕著であり、この化合物により硬さが増す効果があるためである。
【０００９】
さらに、Ｐｄ、ＣｏやＲｕを含むＰｔ９００合金の溶融温度が１７５０〜１８３０℃であるのに対し、Ｇａを添加することにより溶融温度が１５００〜１６２０℃に低下させることができ、沸点２０００℃以上の添加物がフューム化（蒸発）することなく、添加物の機能を保持することができ、しかもこれにより鋳造欠陥を減少させる効果が得られるためである。
その添加量は、１．０ｍａｓｓ％未満であると添加の効果がなく、一方、添加量の上限は、Ｐｔ９０ｍａｓｓ％に確保し、そこにＩｎ等の他の金属を添加させるために添加量が制限されるためである。
【００１０】
Ｉｎを添加する目的は、その添加によりＰｔＩｎ、ＰｔＩｎ２等の金属間化合物の形成により、硬さが増し、この添加が合金の流動性に寄与することで鋳造性を高める効果がある。
【００１１】
さらに、微量の添加量で溶融温度を下げ、沸点２０７２℃は、Ｇａと同様に鋳造欠陥の減少という効果が得られた。
その添加量は、１．０ｍａｓｓ％未満では添加の効果がなく、一方、添加量の上限は、Ｐｔを９０ｍａｓｓ％に確保し、そこにＧａ等の他の金属を添加させるために添加量が制限されるためである。
【００１２】
つぎに、Ｓｎを添加する目的は、その添加によりＰｔ３Ｓｎ、ＰｔＳｎ、Ｐｔ２Ｓｎ３、ＰｔＳｎ４等の金属間化合物の形成が顕著であり、硬さに対する効果はＧａに匹敵する効果が得られた。
その添加量は、１．０ｍａｓｓ％未満では添加の効果が少なく、一方、添加量の上限は、Ｐｔを９０ｍａｓｓ％に確保し、そこにＧａ等の他の金属を添加させるために添加量が制限されるためである。
【００１３】
つぎに、Ｐｄを添加する目的は、Ｐｔと同様に白金族金属としてＰｔと合金化し易く、適度の展性延性を示し、加工性に寄与することと、Ｐｔの添加物としてのＧａとはＰｄ３Ｇａ、Ｐｄ２Ｇａ、ＰｄＧａ、Ｐｄ３Ｇａ７等の金属間化合物を形成し、また、Ｉｎとは、Ｐｄ３Ｉｎ、Ｐｄ２Ｉｎ３の金属間化合物を形成、さらに、Ｓｎとは、ＰｄＳｎ３、Ｐｄ２Ｓｎ、Ｐｄ３Ｓｎ２、ＰｄＳｎ２等の金属間化合物を形成し、他の添加物との化合物の生成により、硬さに大きく貢献することが確認された。
【００１４】
このようにＰｄの添加は、Ｐｔとの反応よりも添加金属それぞれとの反応が大きく、そのいずれとも顕著な合金化反応を示し、その金属間化合物により、硬さに対する効果が得られた。
その添加量は、ほかの添加金属との反応が顕著であることを顧慮し、Ｐｔを９０ｍａｓｓ％に確保すると、下限および上限は、Ｐｔを９０ｍａｓｓ％に確保し、そこにＧａ等の他の金属を添加させるために添加量が制限される。
【００１５】
表１により、９０ｍａｓｓ％に対し、Ｐｄを添加し、さらにＧａ−Ｉｎ、Ｇａ−Ｉｎ−Ｓｎの共晶合金を添加することにより、Ｇａ、Ｉｎ、Ｓｎを各単体で添加するよりも正確な添加量が確保でき、これによりＰｔ、Ｐｄとの金属間化合物の形成も顕著になり、硬さに大きく貢献することが確認された。
【００１６】
また、同様にこれらＧａ、Ｉｎ、Ｓｎの添加は、溶融点を低下させ、鋳造性の向上に寄与することも確認できた。
さらに、Ｐｄの添加は、鋳造性の向上に効果があることも確認された。
【発明を実施するための形態】
【００１７】
実施例を表１に示す
【表１】
2018021239.tif 000002
(57)【要約】【課題】タオル生地を使用し、胸や背中の汗を吸い取り、簡単に着脱できて肌への負担が少ない締め付けないブラジャーを提供する。【解決手段】ブラジャーはタオル生地であることを特徴とし、上下端部にゴム紐を通して胸前に留め具のスナップボタンを取り付け、汗を吸う締め付けないブラジャー。【選択図】図１
2018021287.tif 000002
【特許請求の範囲】
【請求項１】
タオル生地の上下端部にズレ防止のためのゴム紐を取り付け、タオル生地の左右端には留め具を設け、乳頭部にパットを取り付けたタオルブラジャー。
【請求項２】
乳頭部にはタオル生地を重ねた請求項１のタオルブラジャー。
【請求項３】
乳頭部にパットまたは生地を重ねることにより、乳頭が透けないことを特徴とする請求項１のタオルブラジャー。
【発明の詳細な説明】
【技術分野】
【０００１】本発明は、女性が使用するブラジャーをタオル生地で作ったタオルブラジャーに関するものである。
【背景技術】
【０００２】特許文献１ではバストをワイヤーで固定し形を整えるための女性用下着で知られている。
特許文献２のスポーツブラジャーはフック無しの被るタイプの女性用下着で知られている。
【先行技術文献】
【特許文献】
【０００３】
【特許文献１】特開２００９−２９３１７０号公報
【特許文献２】特開２０１２−０７７４２７号公報
【発明の概要】
【発明が解決しようとする課題】
【０００４】本来のブラジャーは、胸の形を整えるためのワイヤーが入っていて、圧迫感があったり皮膚が痒くなったりします。また、汗をかいた時の不快感が多い。フックが背中部分にあったり、被るタイプのため着脱が面倒である。
本発明は、以上の問題を解決するものである。
【課題を解決するための手段】
【０００５】タオル生地を使用し、タオル本体の縦方向縁にスナップボタンを取り付け、胸の前で簡単に着脱するようにできる。
タオル本体上縁・下縁にゴムを使用して伸縮可能かつ体にフィットするようにし、胸の部分には乳房が透けないようにパットもしくは生地を重ねる。
【発明の効果】
【０００６】タオル生地を使用しているため、汗をよく吸収し不快感を軽減。着脱が容易で圧迫感がなく、肌への負担が少ない。
【図面の簡単な説明】
【０００７】
【図１】本発明の斜視図
【図２】本発明の使用状態図
【発明を実施するための形態】
【０００８】  以下、本発明の実施の形態を説明する。
（イ）図１に示してあるように横長のタオル生地（１）の上端部と下端部（３）には横方向に向かってゴム紐（４）が挿入されている。
（ロ）乳頭部辺りにパット（５）を取付け、または生地を重ねて乳頭部が目立たないようにする。
（ハ）両端縦にスナップボタン凹（６）とスナップボタン凸（７）を上中下に取り付け、サイズも変えれるように、スナップボタン凹（８）の位置にも取り付ける。
本発明は以上のような構造である。
本発明を使用するときは、本品を胸の部分に巻きつけ、両端縦についてあるスナップボタン凹（６）とスナップボタン凸（７）もしくは凹（８）とスナップボタン凸（７）をそれぞれ上中下で留めて使用する。
【符号の説明】
【０００９】  １  タオル生地、２  上端部、３  下端部、４  ゴム紐、５  パット、
６  スナップボタン凹  ７  スナップボタン凸、８  スナップボタン凹
【図１】
2018021287.tif 000003
【図２】
2018021287.tif 000004
(57)【要約】      （修正有）【課題】貴重品をバックなどにしまっておくと置き引きに合う可能性があり、上着のポケットなどに入れておくとスリに合う危険性があり、防犯に適したトランクスパンツを提供する。【解決手段】衣服としての下着であるトランクスパンツにポケット１、２を付け、常に身に着ける下着に貴重品を収納することにより、バックなどと違い置き引きに合う危険性がなくなり、スリ行為を仕掛けられても発見しやすくなり、スリ行為を仕掛けられずらくする。【選択図】図１
2018021273.tif 000002
【特許請求の範囲】
【請求項１】
ポケットがついているトランクスパンツ
【発明の詳細な説明】
【技術分野】
【０００１】
本発明は、防犯に適したトランクスパンツに関するものである
【背景技術】
【０００２】
従来の衣服に収納している貴重品の防犯方法は周囲を警戒したり貴重品に意識を向けておくなどした方法がとられていた
【発明の概要】
【発明が解決しようとする課題】
【０００３】
貴重品をバックなどにしまっておくと置き引きに合う可能性があった
【０００４】
貴重品を上着のポケットなどに入れておくとスリに合う危険性があった
【課題を解決するための手段】
【０００５】
常に身に着けるであろう下着にポケットを付ける
【発明の効果】
【０００６】
常に身に着ける下着に貴重品を収納することにより、バックなどと違い置き引きに合う危険性がなくなった
【０００７】
スリ行為を仕掛けられても発見しやすくなった
【０００８】
スリ行為を仕掛けられずらくなった
【図面の簡単な説明】
【０００９】
【図１】トランクスの表側図面
【図２】トランクスの裏側図面
【発明を実施するための形態】
【００１０】
ついているポケットに貴重品をしまっておく
【符号の説明】
【００１１】
１  ポケットＡ
２  ポケットＢ
３  ポケットＣ
４  ポケットＤ
【図１】
2018021273.tif 000003
【図２】
2018021273.tif 000004
(57)【要約】【課題】設置空間に存在する障害物を回避しながら、高トルクを発生することが可能なロータリーダンパを提供する。【解決手段】本発明のロータリーダンパは、隔壁で仕切られ、オイルが充填される２つの油室１０，２０、及び各油室１０，２０に配置されるベーン５０を備え、油室の一方１０の容積と油室の他方２０の容積が異なることを特徴とする。【選択図】図５
2018021633.tif 000002
【特許請求の範囲】
【請求項１】
隔壁で仕切られ、オイルが充填される２つの油室、及び各油室に配置されるベーンを備え、前記油室の一方の容積と前記油室の他方の容積が異なることを特徴とするロータリーダンパ。
【請求項２】
前記油室の一方の半径と前記油室の他方の半径が異なることを特徴とする請求項１に記載のロータリーダンパ。
【請求項３】
前記油室の一方の高さと前記油室の他方の高さが異なることを特徴とする請求項１に記載のロータリーダンパ。
【請求項４】
前記油室の一方の半径及び高さと前記油室の他方の半径及び高さがそれぞれ異なることを特徴とする請求項１に記載のロータリーダンパ。
【発明の詳細な説明】
【技術分野】
【０００１】
本発明は、ロータリーダンパに関する。
【背景技術】
【０００２】
従来、隔壁で仕切られ、オイルが充填される２つの油室、及び各油室に配置されるベーンを備えるロータリーダンパが知られている（例えば、特開２００２−０８１４８２号公報参照）。この種のロータリーダンパは、油室の容積を大きくすることによって、発生トルクを大きくすることができる。
【０００３】
しかしながら、従来のロータリーダンパは、油室の一方の容積と油室の他方の容積が同一であるため、高トルクを得るために油室の容積を大きくすることによって、ロータリーダンパの外径が大きくなり又は高さが高くなり過ぎて、設置する空間に適合しない事態が発生していた。
【先行技術文献】
【特許文献】
【０００４】
【特許文献１】特開２００２−０８１４８２号公報
【発明の概要】
【発明が解決しようとする課題】
【０００５】
本発明が解決しようとする課題は、設置空間に存在する障害物を回避しながら、高トルクを発生することが可能なロータリーダンパを提供することである。
【課題を解決するための手段】
【０００６】
上記課題を解決するため、本発明は、隔壁で仕切られ、オイルが充填される２つの油室、及び各油室に配置されるベーンを備え、前記油室の一方の容積と前記油室の他方の容積が異なることを特徴とするロータリーダンパを提供する。
【発明の効果】
【０００７】
本発明では、油室の一方の容積と油室の他方の容積が異なる。したがって、油室の容積を大きくするために、例えば、油室の一方の容積を油室の他方の容積よりも大きくすることが可能である。この場合、油室の他方側は、容積が小さいため、外径を小さくしたり、高さを低くすることが可能であり、その結果、設置空間に存在する障害物を回避し得る。
【図面の簡単な説明】
【０００８】
【図１】本発明に係るロータリーダンパの平面図である。
【図２】本発明に係るロータリーダンパの正面図である。
【図３】本発明に係るロータリーダンパの底面図である。
【図４】図１のＡ−Ａ部断面図である。
【図５】図２のＢ−Ｂ部断面図である。
【図６】本発明に係るロータリーダンパの設置状態を示す模式図である。
【発明を実施するための形態】
【０００９】
以下、本発明の実施例に基づいて本発明の実施形態をさらに詳しく説明するが、本発明の技術的範囲は以下の説明の内容に限定されるものではない。
【実施例１】
【００１０】
実施例１は、本発明の一実施形態である。図４及び図５に示したように、実施例１に係るロータリーダンパは、２つの油室１０，２０を有して構成されている。
【００１１】
図５に示したように、２つの油室１０，２０は、隔壁３０で仕切られている。隔壁３０は、ハウジング４０と一体に成形されている。２つの油室１０，２０には、オイルが充填されている。
【００１２】
図５に示したように、２つの油室１０，２０には、ベーン５０が配置されている。ベーン５０は、シャフト６０と一体に成形されている。
【００１３】
実施例１に係るロータリーダンパは、ベーン５０がオイルの抵抗を受けながらシャフト６０と一緒に回転することによりトルクを発生するものである。シャフト６０の回転方向によってトルクの大きさを変化させるために、ベーン５０及び／又は隔壁３０にバルブを設けてもよい。
【００１４】
図５に示したように、実施例１に係るロータリーダンパは、油室の一方（以下、第１の油室という）１０の半径と油室の他方（以下、第２の油室という）２０の半径が異なる。したがって、第１の油室１０の高さと第２の油室２０の高さが同一の場合であっても、第１の油室１０の容積と第２の油室２０の容積が異なる。
【００１５】
図４に示したように、実施例１に係るロータリーダンパは、第１の油室１０の高さと第２の油室２０の高さが異なる。したがって、第１の油室１０の半径と第２の油室２０の半径が同一の場合であっても、第１の油室１０の容積と第２の油室２０の容積が異なる。
【００１６】
実施例１に係るロータリーダンパは、第１の油室１０の半径及び高さと第２の油室２０の半径及び高さがそれぞれ異なるため、第１の油室１０の容積と第２の油室２０の容積が異なる。したがって、油室の容積を大きくするために、換言すると、オイルの量を増加させるために、本実施例のように、第１の油室１０の容積を第２の油室２０の容積よりも大きくすることが可能である。この場合、第２の油室２０の容積が小さいため、第２の油室２０側では、ハウジング４０の外径を小さくしたり、高さを低くすることが可能である。その結果、図６に示したように、本実施例によれば、設置空間Ｓに存在する障害物７０とハウジング４０との接触を回避し得る。
【符号の説明】
【００１７】
１０  第１の油室
２０  第２の油室
３０  隔壁
４０  ハウジング
５０  ベーン
６０  シャフト
７０  障害物
Ｓ  設置空間
【図１】
2018021633.tif 000003
【図２】
2018021633.tif 000004
【図３】
2018021633.tif 000005
【図４】
2018021633.tif 000006
【図５】
2018021633.tif 000007
【図６】
2018021633.tif 000008
(57)【要約】      （修正有）【課題】微圧下において微少な漏れを防止するバルブを提供する。【解決手段】ブリザーバルブの弁体２、９と弁座３、１０の当り面からの微少な漏れを防止するため、弁座面の周囲に溝５、１４を設け、そこに液体を弁座面の高さまで貯めて液体の表面張力を弁座と弁体の閉まる力に利用することにより微少な漏れを防止するようにした。【選択図】図１
2018021652.tif 000002
【特許請求の範囲】
【請求項１】
容器の内圧が微圧でも、容器の密閉を保つブリザーバルブにおいて、プラス側の圧力で作動する弁とそれらを囲う弁ケース１と、マイナス側の圧力で作動する弁とそれらを囲う弁ケース８があり、前記２つのケースは配管１５でつながり、１つの配管となってタンク１６に接続されている。
前記プラス側の弁の弁体２は下面が円錐状４に中央部が深く、周囲が浅くなっている。
このプラス側の弁体２と対になっている弁座３の内周には溝５が設けられており、この溝のせきは弁座の当り面とほぼ同じ高さとなっている。
前記マイナス側の弁の弁座１０の外周に小さな溝１４を設け溝の高さと弁座の高さをほぼ同じとし、溝の外周側を円錐状１３に弁ケースから溝に向かって勾配を付けてある事を特徴とするブリザーバルブ。
【発明の詳細な説明】
【技術分野】
【０００１】  本発明は、容器内に蒸発性の液体を保管する場合、液体の張り込み又は、払い出し、及び大気温度の変化や大気圧の変化等による内圧の上昇・下降の際に内圧を調整し、タンクの安全を図りながら、容器内の液体の蒸発を防止するバルブに関する。
【背景技術】
【０００２】  近年、コストダウンの要求が激しくなり、蒸気性の液体を貯蔵する大型の容器においても、タンクの通気口から大気に蒸発する量を小さくする必要が生じました。
ここで、大型のタンクでは、内圧及び外圧に対して強度の問題から微圧しか加えられない。【０００３】  この要求を満足させるためには、微圧において漏れ量の少ないバルブ、つまり、弁体と弁座の組合せが考えられて来た。
【先行技術文献】
【特許文献】
【０００４】
【発明の概要】
【発明が解決しようとする課題】
【０００５】  微圧において漏れ量を最小限に抑えるため、弁座面を研摩したり、非常に柔らかなパッキンを弁座面に使用する等が考えられてきたが、微少な漏れを防止することができなかった。
本発明は微圧において微少な漏れを防止することができるブリザーバルブつまり、弁体と弁座を提供することを目的としている。
【課題を解決するための手段】
【０００６】  本発明はブリザーバルブに関する。
ブリザーバルブの弁体と弁座の当り面からの微小な漏れを防止するため、容器内液体の蒸気を弁体又は、弁座又は、弁を取り囲むケースで結露させ、その液体を弁座の当り面に集めて、その液体の水面と、弁座面の高さをほぼ同じとし、その液体の表面張力を利用して、弁座と弁体を密着させて微少な漏れを防止しようとしたものである。
【図面の簡単な説明】
【０００７】
【図１】  図１は本発明のブリザーバルブをタンクに取付けた図
【図２】  図２は本発明のプラス側の弁体と弁座の詳細図
【図３】  図３は本発明のマイナス側の弁体と弁座の詳細図
【発明を実施するための形態】
【０００８】  図面と共に本ブリザーバルブの構成を説明する。
本バルブには、容器の内圧がプラス側になった時に働くプラス側の弁２，３とマイナス側になった時に働くマイナス側の弁９，１０が、配管でつながった各弁ケース１，８に取付けられている。
プラス側の弁体２はタンク内面につながった側の面が円錐状４になっており、弁体で結露した水滴が周囲に集まるようになっている。
この弁体２で集めた液体を弁座側に落下させ、落下の直下には液を受ける溝５が円周状に弁座の内周側に設けられている。この溝の堀の高さは弁座の当り面とほぼ同じ高さになっている。弁体２で集めた液体を弁座周囲の溝５に貯めて水面の高さを弁座の高さに合わせることにより、液体の表面張力を弁を閉める力に利用することが出来るようになる。
マイナス側の弁座１０はその直近の外周囲に小さな溝１４を円周状に設けて、その溝の外周側の弁座を円錐状に溝に向かって勾配を付けており、この溝１４の高さを弁座１０の高さとほぼ同じ高さになっている。マイナス側の弁ケース８で集めた液体を弁座外周囲の溝１４に貯めて、水面の高さを弁座の高さに合わせることにより液体の表面張力を弁を閉める力に利用することが出来るようになる。ここで、マイナス側では弁ケースで集まりすぎた液体により弁座面からの液位が深くなり、表面張力が利用できなくなってくるが、弁が作動することにより余分な液体は排出され、自動で機能を回復させることが出来る。プラス側の弁ケースとマイナス側の弁ケースは配管で接続し、一体となった構造としているが、それぞれ別々で取付けても同様の効果がある。
【符号の説明】
【０００９】１    プラス側弁ケース
２    プラス側弁体
３    プラス側弁座
４    プラス側弁体の内面側の円錐部
５    プラス側弁座の内周に設けられた溝
６    プラス側弁体のシャフト
７    プラス側弁体のシャフト受け
８    マイナス側弁ケース
９    マイナス側弁体
１０  マイナス側弁座
１１  マイナス側弁体のシャフト
１２  マイナス側弁体のシャフト受け
１３  マイナス側溝の外周囲に設けられた円錐部
１４  マイナス側弁座の外周に設けられた溝
１５  プラス側弁ケースとマイナス側弁ケースをつなぐ配管
１６  容器
１７  内部の液体
１８  水面
【図１】
2018021652.tif 000003
【図２】
2018021652.tif 000004
【図３】
2018021652.tif 000005
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
容器の内圧が微圧でも、容器の密閉を保つブリザーバルブにおいて、プラス側の圧力で作動する弁とそれらを囲う弁ケース１と、マイナス側の圧力で作動する弁とそれらを囲う弁ケース８があり、前記２つのケースは配管１５でつながり、１つの配管となってタンク１６に接続されており、前記プラス側の弁の弁体２は下面が円錐状４に中央部が深く、周囲が浅くなっており、このプラス側の弁体２と対になっている弁座３の内周には溝５が設けられており、この溝のせきは弁座の当り面とほぼ同じ高さとなっており、前記マイナス側の弁の弁座１０の外周に小さな溝１４を設け溝の高さと弁座の高さをほぼ同じとし、溝の外周側を円錐状１３に弁ケースから溝に向かって勾配を付けてある事を特徴とするブリザーバルブ。
(57)【要約】【課題】配管作業でパイプの締付、取外し作業をする時、パイプレンチ用スタンドの踏みつけ板を踏む足が不安定の時、パイプレンチ自体が管から外れて倒れて、この時パイプに手を挟んだり指を潰したり問題があったので、パイプレンチの倒れもなく安全に配管作業ができるパイプレンチ固定台を提供する。【解決手段】折りたたみ式固定台は中央部で接続して設け、台座を左右に９０°回転できる、台座を右に回して固定台の下部のストッパーまで回しボルトで止めて一文字状態に設け、左に回して固定台の中央部のストッパーに当たるまで回し中央部の皿ボルトを締付けると前後左右のころび止めの十文字状態に設け、固定台パイプレンチ用ガイドに締付けボルトが付いておりパイプレンチを固定台に取り付けたら締付けボルトを締付けパイプレンチの固定を設けたる。【選択図】図１
2018114608.tif 000002
【特許請求の範囲】
【請求項１】
折りたたみ式の固定台と台座は本体中央部で皿ボルトにて接続して設け、台座を左右９０°回転でき台座を右に回して固定台下部のストッパーまで回し皿ボルトで止めれば持ち運びに場所をとらない一文字状態を設けることを特徴とするパイプレンチ固定台。
【請求項２】
台座を左に回して固定台の中央部のストッパーまで回し本体中心部の皿ボルトを締め付けると、前後左右のころび止めの十文字の状態を設け、固定台にはパイプレンチ用のガイドが付いており、そのガイドに締付ボルトが付いているパイプレンチを固定台に取り付けたら締付ボルトを締付、パイプレンチを固定することを特徴とする請求項１パイプレンチ固定台。
【発明の詳細な説明】
【技術分野】
【０００１】  本発明は、パイプレンチを使用して行うパイプの締付、取外し作業時、押えのパイプレンチの倒れを防ぐパイプレンチ固定台に関するものである。
【背景技術】
【０００２】  従来、パイプレンチを使用して行うパイプの締付、取外し作業時にパイプを押える、パイプレンチ用スタンドが知られている。
【先行技術文献】
【特許文献】
【０００３】
【特許文献１】実開平６−２１８５６号公報
【発明の概要】
【発明が解決しようとする課題】
【０００４】  配管作業でパイプの締付、取外し作業をするとき、万力を備えた作業台などを使用すればこのような作業は特に問題なく行えるが作業台は設置スペースを要するし、現場によっては作業台を設置できないような場合もある、パイプレンチ用スタンドの踏みつけ板を踏む足が不安定となったときパイプレンチ自体が管から外れてしまう問題がある、この時パイプに手を挟んだり指をつぶしたり問題があった。
本発明は、以上の問題点を解決するためになされたものである。
【課題を解決するための手段】
【０００５】  折りたたみ式固定台と台座は中央部で皿ボルトにて接続して設け、台座を左右に９０回転できる台座を右に回して固定台の下部のストッパーまで回しボルトで止めれば、持ち運びに場所をとらない一文字状態を設け、左に回して固定台の中央部のストッパーに当たるまで回し中央部の皿ボルトを締めつけると前後左右のころびとめの十文字状態を設け固定台のパイプレンチ用ガイドには締付ボルトが付いておりパイプレンチを固定台に取り付けたら締付ボルトを締付パイプレンチの固定を設ける。
以上の構成より成るパイプレンチ固定台。
【発明の効果】
【０００６】  従来、配管作業でパイプを接続するときは万力を備えた作業台を使用するが設置スペースを要する。踏みつけ板を踏む足が不安定になったとき事故につながりかねない。パイプレンチ固定台は前後左右のころび止めとなるため踏みつけ板をおさえることもなく配管作業を容易に行うことができる。
本発明は、パイプレンチ固定台の発明により配管作業を安全に行なえるのである。
【図面の簡単な説明】
【０００７】
【図１】  本発明の斜視図
【図２】  本発明の固定台を十文字に開いた斜視図
【図３】  本発明の固定台にパイプレンチを取付けた斜視図
【図４】  本発明の固定台のパイプレンチにパイプを取付けた斜視図
【図５】  パイプレンチの斜視図
【発明を実施するための形態】
【０００８】  以下、本発明の実施の形態を説明する。
（イ）折りたたみ式（３）の固定台（１）と台座（１０）を設ける。
（ロ）固定台（１）は、台座（１０）と皿ボルト（８）で接続されており台座（１０）を      十文字（４）に開き前後左右のころび止めを設ける。
（ハ）固定台（１）にパイプレンチ（２）を設ける。
（ニ）固定台（１）にパイプレンチ（２）用のガイド（６）がついており、ガイド（６）      には締付ボルト（７）が付いている。これでパイプレンチ（２）の固定を設ける。
本発明は以上のような構造である。
本発明を使用するときは、折りたたみ式（３）は固定台（１）と台座（１０）にわかれており固定台（１）の中央部で皿ボルト（８）で台座（１０）と接続されている。台座（１０）は左右９０°回転でき右に９０°回して固定台（１）に溶接してあるストッパー（５）に当たるまで回し、皿ボルト（８）で止めれば持ち運びに場所をとらない、台座（１０）は一文字（９）の状態になる、台座（１０）を左に９０°回して固定台（１）に溶接してあるストッパー（５）まで回し接続部の皿ボルト（８）を締め付けると前後左右のころび止めの十文字（４）の状態になる、固定台（１）にパイプレンチ（２）用のガイド（６）が溶接されておりガイド（６）には締付ボルト（７）が付がついている、固定台（１）にパイプレンチ（２）を取り付けたら締付ボルト（７）でパイプレンチ（２）を固定する、これで他の管を接続する等の作業を容易に行なうことができる。
【符号の説明】
【０００９】１固定台、２パイプレンチ、３折りたたみ式、４十文字、５ストッパー、６ガイド、７締付ボルト、８皿ボルト穴、９一文字、１０台座  １１パイプ、１２パイプレンチ、１３本体部、１４柄、１５本体刃、１６顎支持部、１７顎部、１８顎刃、１９ネジ溝、２０顎位置調整ネジ、２１回動支持ピン、
【図１】
2018114608.tif 000003
【図２】
2018114608.tif 000004
【図３】
2018114608.tif 000005
【図４】
2018114608.tif 000006
【図５】
2018114608.tif 000007
(57)【要約】【課題】ペダルに踏み込んだ力を最も効果的に回転力に変えるには、クランクの回転円、すなわちペダル軸の軌跡の接線方向に踏み込む方向を一致させることだが、その接線方向を示す矢印に図１を重ねた図２が示すように、現在のビンディグによる固定方法では、その条件を満たすのは、この例でいえば３時の位置だけであるように、ある特定の点でしかない。【解決手段】図４に示すように、回転に伴って変化するクランクに対するペダルの傾きに関わらず、クランクに対してペダル軸から垂直に伸ばした直線上に常にクリートが位置するようにビンディング部分を移動させる。【選択図】図４
2018114979.tif 000002
【特許請求の範囲】
【請求項１】
回転に伴って変化するクランクに対するペダルの傾きに関わらず、クランクに対してペダル軸から垂直に伸ばした直線上に常にクリートが位置するようにビンディング部分を移動させる機構を備えるビンディングペダル。
【発明の詳細な説明】
【技術分野】
【０００１】  本発明は、クランクの回転に応じてビンディングペダル上でクリート部分が移動する、スポーツ自転車のスライドビンディングペダルに関する。
【背景技術】
【０００２】  スポーツ自転車においては、ペダルへの踏み込み効果を上げるために、ビンディングペダルとクリートを取り付けたシューズによって、ペダルにシューズを固定する方法が用いられている。
【発明の概要】
【発明が解決しようとする課題】
【０００３】  しかし、現在の固定方法は、踏み込んだ力をペダリングにおける全ての位置で効率的に回転運動に変えている訳ではない。【０００４】  図１はチェーンリングのついたクランクのドライブサイドから見て、クランクが３時の位置でペダル軸の真上にクリートを設置した場合のペダリングにおける、各地点でのペダルの角度とクリートの位置を示したものである。【０００５】  ペダルに踏み込んだ力を最も効果的に回転力に変えるには、クランクの回転円、すなわちペダル軸の軌跡の接線方向に踏み込む方向を一致させることだが、その接線方向を示す矢印に図１を重ねた図２が示すように、現在のビンディグによる固定方法では、その条件を満たすのは、この例でいえば３時の位置だけであるように、ある特定の点でしかない。【０００６】  この課題は、図３に示すように、クランクの位置に応じて、クリートの位置をペダルの後方から前方に向かって、ペダル軸の軌跡に乗るように常に変化させることで解決することができる。
【課題を解決するための手段】
【０００７】  図４に示すように、回転に伴って変化するクランクに対するペダルの傾きに関わらず、クランクに対してペダル軸から垂直に伸ばした直線上に常にクリートが位置するようにビンディング部分を移動させる。
【図面の簡単な説明】
【０００８】
【図１】ペダリングにおけるクランクとペダルの動き
【図２】既存のビンディングにおけるクリート位置と力をかけるべき方向の関係
【図３】理想的なクリート位置の動き
【図４】クランク及び、ペダルに対する理想的なクリートの位置
【図５】機械的スライドビンディングペダルのペダルユニット
【図６】機械的スライドビンディングペダルのクランクユニット
【図７】機械式スライドビンディングペダルによるクリート位置の動き
【図８】電子式スライドビンディングペダル
【発明を実施するための形態】
【０００９】  以下、実施の形態として、この手段の基づいた、機械式と電子式によるスライドビンディングペダルの詳細を説明する。
【実施例１】
【００１０】  機械的スライドビンディングペダルは、図５、図６に示す、特別な部品を取り付けたペダルとクランクから構成される。【００１１】  図５に示す機械式ペダルユニットはペダル本体とビンディング部分から構成される。【００１２】  ペダル本体には、前後方向を向いた二本のレールと、ペダルの踏み面に対して垂直方向に長軸を持つ楕円のレールが取り付けられ、また、楕円レールにはレール上を自由に移動できるランナーがついている。【００１３】  ビンディング部分はシューズを固定するビンディングと、そのビンディングとペダル本体の楕円レールをつなぐアームからなり、またビンディングとアームの底面にはペダル本体の二本のレールとの接続部分を持つ。【００１４】  ペダル本体とビンディング部分は、ビンディング部分の底面の接続部品を介してペダル本体の二本のレールに取り付けられ、また、ビンディング部分のアームに垂直に取り付けられたレールは楕円レールのランナーを介して楕円レールに接続されて、一個の機械式ペダルユニットとなる。【００１５】  ひとつに組み上げられた機械式ペダルユニットは、ペダル本体を手に持ってビンディング部分を前後に動かすと、楕円レール上をランナーが移動していくことになる。【００１６】  一方、図６に示す機械式クランクユニットには、ペダルシャフトの軸受けの真上に、自由に移動できるランナーが取り付けられた円弧のレールが取り付けられる。【００１７】  以上によって説明した機械式ペダルユニットと機械式クランクユニットを、ペダルシャフトによって接続し、同時に、双方のランナーも接続棒によって結ばれて機械式スライドビンディングペダルの仕組みが完成する。【００１８】  なお、接続棒の長さは、ペダルが水平、クランクが３時を向く位置で、ランナー間の距離が最長となる長さとする。【００１９】  ペダリングの一回転において、この仕組みを持つペダルとクランクがどのように移動していくのかを示したのが図７である。【００２０】  楕円レールと円弧レールに沿って滑りながら移動する接続棒の丸印が楕円レール上のライナーの位置を示し、丸印からペダルに向かって垂直に下ろした場所が、ペダル上のビンディング部分の位置ということになるが、この位置は図３に示したクリート位置に一致することが分かる。
【実施例２】
【００２１】  図８に示す電子的スライドビンディングペダルは、機械式ペダルユニットから楕円レールと楕円レールへの接続部分を取り除いた電子的ペダルユニットと電子式クランクユニットから構成される。【００２２】  電子式ペダルユニットには、レールの前後方向にビンディングを移動させる動力部と、クランクに対するペダルの傾斜角を感知するセンサー、及びその傾斜角をもとにビンディングの移動量を本発明のロジックに基づいて算出するプロセッサーからなるビンディング制御部が、ビンディングと一体となるように取り付けられている。【００２３】  また、電子式クランクユニットには、ペダルの傾斜角測定の基点となる電子式発信体が取り付けられている。
【符号の説明】
【００２４】０１  クランク
０２  ペダル
０３  クリート位置
０４  ペダル軸の軌跡
０５  移動角
０６  機械式ペダルユニット
０７  ペダル本体
０８  ビンディング部分
０９  機械式クランクユニット
１０  接続棒
１１  楕円レール上のランナー
１２  ビィンデング制御部
１３  電子的発信体
【図１】
2018114979.tif 000003
【図２】
2018114979.tif 000004
【図３】
2018114979.tif 000005
【図４】
2018114979.tif 000006
【図５】
2018114979.tif 000007
【図６】
2018114979.tif 000008
【図７】
2018114979.tif 000009
【図８】
2018114979.tif 000010
(57)【要約】【課題】  ドローンの落下時に、人体にぶつかっても怪我をさせないこと。落下や衝突をしても人体への危険がなく、本体が破壊せず、又池や海に落下しても浮き、回収＆再生が可能な技術の開発する。【解決手段】  風船つきドローン全体を覆い、どのような姿勢で衝突しても風船１が先に衝突する構造とする。空気、窒素、水素、ヘリウム等のガスを充填した風船で本体の外周を覆い、どんな姿勢で落下しても、プロペラやバッテリー及びカメラなどの本体が直接衝突することがないようにする。尚、風船の形状は断面形状が流線形の中空円筒又は円筒の１個又は複数の風船で構成し、空気抵抗を減らす工夫がなされたものとする。又、複数の風船を重ねて使うことも可能である。【選択図】図１
2018114916.tif 000002
【特許請求の範囲】
【請求項１】
ドローン（自立式マルチコプター）において、本体外周全面よりも風船が外側になるよう構成し、かつ該風船の断面形状が流線形の中空円筒又は円筒の１個又は複数の風船で構成した風船つきドローン。
【発明の詳細な説明】
【技術分野】
【０００１】
本発明は、人体に衝突しても怪我をさせず、落下しても再生可能なドローンに関するものである。
【背景技術】
【０００２】
ドローンは空中を飛行するものであり、操作ミスや故障や強風に煽られて落下すれば本体が破壊する可能性が高く、もしも人体に直接衝突すれば、超小型機でも、例えば目を直撃すれば失明に至るような非常に危険なものである。
また、池や海に落下すれば沈んでしまう。
【発明の概要】
【発明が解決しようとする課題】
【０００３】
落下や衝突をしても人体への危険がなく、本体が破壊せず、又池や海に落下しても浮き、回収＆再生が可能な技術を開発する。
【課題を解決するための手段】
【０００４】
空気、窒素、水素、ヘリウム等のガスを充填した風船で本体の外周を覆い、どんな姿勢で落下しても、プロペラやバッテリー及びカメラなどの本体が直接衝突することがないようにする。尚、風船の形状は断面形状が流線形の中空円筒又は円筒の１個又は複数の風船で構成し、空気抵抗を減らす工夫がなされたものとする。又、複数の風船を重ねて使うことも可能である。
【発明の効果】
【０００５】
本発明により、空気抵抗を減らす流線形状の風船により、ある程度の風に耐えることが出来、落下しても人体への危険がなく、かつ本体が破壊せず、又池や海に落下しても浮き、回収＆再生が可能なドローンが達成される。風船にヘリウムネオンガス等の空気より軽いガスを使用すれば、浮力が発生し、より少ないプロペラ駆動電力で動かすことが可能となり、その分省エネや長時間飛行が達成される。
【図面の簡単な説明】
【０００６】
【図１】ドーナツ形状の風船つきドローンの平面図
【図２】ドーナツ形状の風船つきドローンの側面断面図
【図３】二連式ドーナツ形状の風船つきドローンの側面断面図
【図４】円筒型の風船つきドローンの平面図
【図５】円筒型の風船つきドローンの側面断面図
【図６】二連式円筒型の風船つきドローンの側面断面図
【発明を実施するための形態】
【０００７】
風船で外周を覆い、落下しても風船の浮力や緩衝効果で本体を保護する。 
【実施例１】
【０００８】
図１〜図６において、ヘリウムネオンガスを充填した風船1が外周を覆い、連結棒２
を介して、プロペラ３、モータ４及びカメラやバッテリーが内蔵された本体（ＣＰＵボックス）５と一体となる構造とする。
図１はドーナツ形状の風船１で外周を覆うことを示し、図２はその断面図を表し、風船１が流線型であることを示している。主に風は水平方向に吹き又ドローンも水平方向に飛行することが多いため、該流線形状によって空気抵抗を軽減して飛行することができる。
図３は、図１のドーナツ形状の風船１を2重にした場合の断面図であり、効果は基本的に図２と同様である。  
図４は、円筒形状の風船１を4個配した場合の例で、図５はその断面図であり、外周側が細くなっている流線型形状の風船１の例となっている。効果は基本的に図２と同様である。
図６は、図４の円筒形状の風船を2重にした場合の断面図であり、外側が太くなっている流線形状の風船１の例となっている。効果は基本的に図２と同様である。
【産業上の利用可能性】
【０００９】
落下時の人体への安全性が高く、市街地でも飛行することが可能となるため、事件が起きた時の撮影や事故等での捜索など幅広く運用されると考えられる。また、魚群をサーチする場合には、万が一海に落ちても浮くためＧＰＳ機能を使い回収することができる。
【符号の説明】
【００１０】
図1〜図１０において、1は風船、２は連結棒、３はプロペラ、４はモータ、５は本体（ＣＰＵボックス）である。
【図１】
2018114916.tif 000003
【図２】
2018114916.tif 000004
【図３】
2018114916.tif 000005
【図４】
2018114916.tif 000006
【図５】
2018114916.tif 000007
【図６】
2018114916.tif 000008
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
ドローン（自立式マルチコプター）において、複数の風船を搭載し、該風船の大部分がプロペラの外側になるように配置し、かつ該風船がプロペラの上側と下側の両方に配置するよう構成し、さらに該風船の断面形状がすべて流線形の風船つきドローン。
(57)【要約】【課題】車体の剛性アップや操縦性アップは、車体の各部を接合・加工や部品を取り換えるなどの方法しか無かった。車体剛性や操作性アップ・経年劣化の為にカーボディーサポーターを提供する。【解決手段】マグネット（１）単体やさらにアルミテープ等（２）を使い、車体主要部分に設置することを行い。マグネットの磁力効果を利用し、車体主要構造部分やダンパーに設置することを特徴とする。【選択図】図１
2018062328.tif 000002
【特許請求の範囲】
【請求項１】
マグネット（１）の磁力を利用し、車体構造部分やダンパーに設置するカーボディーサポーター。
【発明の詳細な説明】
【技術分野】
【０００１】この発明は、自動車等にマグネットを貼り付け、車体剛性や操縦性に関するものである。
【背景技術】
【０００２】従来の車体剛性アップや操縦性アップでは、車体の各部を接合・加工や部品を取り換えることで性能を発揮していた。
【先行技術文献】
【特許文献】
【０００３】
【発明の概要】
【発明が解決しようとする課題】
【０００４】これは、次のような欠点があった。
従来の車体剛性アップや操縦性アップでは、車体の各部を接合・加工や部品を取り換えることで性能を発揮していた為、大幅にコストや手間が掛かっていました。
さらに経年での性能劣化があり、５〜１０年で効果が発揮されなくなり、再度車体の各部を接合・加工や部品を取り換えることが必要で、初期のコストや手間以上に労力が必要である。
本発明は、以上のような欠点をなくすためになされたものである。
【問題を解決しようとする手段】
【０００５】マグネット（１）単体やさらにアルミテープ等（２）を使い、車体の重要部分に設置することである。本発明は、以上の構成よりなるカーボディーサポーターである。
【発明の効果】
【０００６】マグネットの磁力効果を使い、車体の重要部分に設置することで手軽に車体剛性アップや操縦性アップを実現することできる。マグネットを使用するため車体への負担が少なく、施工しやすい。
約１０年以上にわたり効果を発揮しコストパフォーマンスが非常に高い。
【図面の簡単な説明】
【０００７】
【図１】本発明の施工部位側面図である。
【図２】本発明の拡大図である。
【発明を実施するための形態】
【０００８】以下、本発明を実施するための形態について説明する。
マグネット単体や上面に、アルミテープを設ける。
マグネット上面を覆うようにアルミテープを貼り付ける。
本発明は、以上のような構造である。
これを使用するときは、車体の主要構造部分に上記製品を貼り付けて車体剛性や操作性を調整する。さらにダンパーに上記製品を貼り付けることにより、剛性感や操作性アップ・経年劣化を抑制する。
【符号の説明】
【０００９】１．  マグネット
２．  アルミテープ等
【図１】
2018062328.tif 000003
【図２】
2018062328.tif 000004
(57)【要約】【課題】  ファイルをノートパソコンと共に携帯することに便利になることと、またファイルを見ながらパソコン作業をするとき目と首の疲れを軽減することができるように、回覧板部とホルダー部を設けたファイルホルダーを提供する。【解決手段】  回覧板部（１）に軸ａ（３１）と軸ｂ（３２）とファイル固定部（６）を設け、ホルダー部（２）に円管部（５）と貼り部（４）と回覧板固定部（７）を設けたファイルホルダーを特徴とする。【選択図】図１
2018062163.tif 000002
【特許請求の範囲】
【請求項１】
回覧板部（１）に軸ａ（３１）と軸ｂ（３２）とファイル固定部（６）を設け、ホルダー部（２）に円管部（５）と貼り部（４）と回覧板固定部（７）を設けたファイルホルダー。
【請求項２】
請求項１記載のファイルホルダーにおいて、ホルダー部（２）に代えてケース部（８）を備えたファイルホルダー。
【請求項３】
請求項１または２に記載のファイルホルダーにおいて、ホルダー部（２）またはケース部（８）に支持部（９）を設けたファイルホルダー。
【発明の詳細な説明】
【技術分野】
【０００１】  本発明は、回覧板部とホルダー部を設けたファイルホルダーに関するものである。
【背景技術】
【０００２】  従来のファイルホルダーは、単純に箱やケースの様なものであった。
【発明の開示】
【発明が解決しようとする課題】
【０００３】  その欠点としては、ノートパソコンと別々になっていたため、ノートパソコンと共に持つときファイルの携帯に不便であることと、ファイルを見ながらパソコン作業をする際に首や目が疲れやすいことが挙げられる。【０００４】  本発明は、以上のような欠点をなくすためになされたものである。
【課題を解決するための手段】
【０００５】  本発明は、回覧板部（１）に軸ａ（３１）と軸ｂ（３２）とファイル固定部（６）を設け、ホルダー部（２）に円管部（５）と貼り部（４）と回覧板固定部（７）を設けることを最も主要な特徴とする。
【発明の効果】
【０００６】  ファイルを回覧板部のファイル固定部で挟んで、回覧板部を、ノートパソコンのスクリーンの裏面に貼り部で貼っているホルダー部の回覧板固定部で固定することによって、ノートパソコンと一体になっているので、携帯に便利である。【０００７】  また、回覧板部の軸ａや軸ｂを円管部に差し込んで連結することで、ファイルを見ながらノートパソコンで作業をする際に目や首の疲労が軽減できる。
【図面の簡単な説明】
【０００８】
【図１】本発明の斜視図である。
【図２】ホルダー部の斜面図である。
【図３】ホルダー部の（上からの）断面図である。
【図４】（ａ）ケース部の斜視図である。（ｂ）ケース部の断面図である。
【図５】支持部を設けるホルダー部の斜面図である。
【発明を実施するための形態】
【０００９】  以下、本発明の実施の形態を図１〜図５に基づいて説明する。
【００１０】  図において、プラスチック製の板状の回覧板部（１）の相隣る両側面にプラスチック製の軸ａ（３１）と軸ｂ（３２）を設置し、回覧板部（１）の表面に二つのファイル固定部（６）を設ける。
【００１１】  また、プラスチック製の板状のホルダー部（２）の側面に円管部（５）を設け、その一つの表面に貼り部（４）を設置し、もう一つの表面に回覧板固定部（７）を有している。
【００１２】  または、ホルダー部（２）に代えてプラスチック製の箱状のケース部（８）を設ける。
【００１３】  さらに、ホルダー部（２）またはケース部（８）の下側に支持部（９）を設ける。
【００１４】  本発明は、以上のような構造である。
【００１５】  これを使用するときは、貼り部（４）でホルダー部（２）またはケース部（８）をノートパソコンのスクリーンの裏面に貼り、ファイルを回覧板部（１）上のファイル固定部（６）で固定し、軸ａ（３１）を管状部（５）に差しこむまま回覧板部（１）をホルダー部（２）の回覧板固定部（７）で固定すれば、ノートパソコンと一体になり、携帯に便利である。
【００１６】  または、回覧板部（１）を直接にケース部（８）に入れれば、ノートパソコンと一体になる効果を得ることができる。
【００１７】  また、軸ａ（３１）或いは軸ｂ（３２）を円管部（５）に差しこんで、ファイルの横方向や縦方向でファイルを見ながらノートパソコンの作業をすれば、目や首の疲労が軽減できるほか、卓上などのスペースを節約することも可能である。
【００１８】  さらに支持部（９）を、ホルダー部（２）またはケース部（８）に設け、図５に示す様に机などの上にホルダー（２）またはケース部（８）を支持することで、貼り部（４）とノートパソコンにかかる負荷を低減することができる。
【符号の説明】
【００１９】    １    回覧板部
２    ホルダー部
３１  軸ａ
３２  軸ｂ
４    貼り部
５    円管部
６    ファイル固定部
７    回覧板固定部
８    ケース部
９    支持部
【図１】
2018062163.tif 000003
【図２】
2018062163.tif 000004
【図３】
2018062163.tif 000005
【図４】
2018062163.tif 000006
【図５】
2018062163.tif 000007